【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
ケーシングと、ケーシングの内部に設けられる内部基板と、内部基板を外部機器に対して電気的に接続するためのコネクタと、を備え、部品供給装置およびその部品供給装置が装着される供給装置装着部のうち少なくともいずれか一方によって構成されるコネクタ付装置であって、
ケーシングにコネクタ取付孔が設けられるとともに、そのコネクタ取付孔にコネクタが着脱自在に取り付けられ、
コネクタのケーシング内部側に、内部基板に電気的に接続される接続部が設けられ、
コネクタをコネクタ取付孔から外方へ抜き取った際には、接続部が内部基板に対し離脱してコネクタと共にケーシングから取り出される一方、コネクタをコネクタ取付孔に挿着した際には、接続部が内部基板に電気的に接続されるように構成されたことを特徴とするコネクタ付装置。
【請求項２】
接続部は、内部基板に向かって延びる細長形状を有し、コネクタをコネクタ取付孔に取り付けた状態では、接続部の先端が内部基板に接合される請求項１に記載のコネクタ付装置。
【請求項３】
内部基板に電気的に接続され、かつ接続部と結合可能な結合部材がケーシングの内部に設けられ、
コネクタをコネクタ取付孔に取り付けた状態では、コネクタの接続部が結合部材に結合されて、接続部が結合部材を介して内部基板に電気的に接続される請求項１に記載のコネクタ付装置。
【請求項４】
前記部品供給装置および前記供給装置装着部のうち少なくともいずれか一方とは、部品供給装置としてのテープフィーダであり、
前記ケーシングの内部に設けられた内部基板に突出片が形成され、
前記コネクタの接続部によって構成される挿入部が、前記ケーシングに設けられた前記コネクタ取付孔から挿入され、前記突出片に直接接続される請求項１に記載のコネクタ付装置。
【請求項５】
前記部品供給装置および前記供給装置装着部のうち少なくともいずれか一方とは、供給装置装着部としてのフィーダ交換台車であり、
前記ケーシングの内部に設けられた内部基板に内部コネクタが設けられ、
前記コネクタの接続部によって構成される挿入部が、前記ケーシングに設けられた前記コネクタ取付孔から挿入され、前記内部コネクタに直接接続される請求項１に記載のコネクタ付装置。
【請求項６】
供給装置装着部に着脱自在に装着されて、実装機に部品を供給する部品供給装置であって、
コネクタ取付孔を有するケーシングと、
ケーシングの内部に設けられる内部基板と、
コネクタ取付孔に着脱自在に取り付けられ、かつ内部基板を供給装置装着部に対して電気接続するためのコネクタと、
コネクタのケーシング内部側に設けられ、かつ内部基板に電気的に接続される接続部と、を備え、
コネクタをコネクタ取付孔から外方へ抜き取った際に、接続部が内部基板に対し離脱してコネクタと共にケーシングから取り出される一方、コネクタをコネクタ取付孔に挿着した際には、接続部が内部基板に電気的に接続されるように構成されたことを特徴とする部品供給装置。
【請求項７】
テープフィーダによって構成される請求項６に記載の部品供給装置であって、
前記ケーシングの内部に設けられた内部基板に突出片が形成され、
前記コネクタの接続部によって構成される挿入部が、前記ケーシングに設けられた前記コネクタ取付孔から挿入され、前記突出片に直接接続される部品供給装置。
【請求項８】
供給装置装着部に着脱自在に装着される部品供給装置と、部品供給装置から供給される部品を基板に実装するヘッドと、を備えた実装機であって、
部品供給装置および供給装置装着部のうち少なくともいずれか一方は、
コネクタ取付孔を有するケーシングと、
ケーシングの内部に設けられる内部基板と、
コネクタ取付孔に着脱自在に取り付けられ、かつ内部基板を供給装置装着部に対して電気接続するためのコネクタと、
コネクタのケーシング内部側に設けられ、かつ内部基板に電気的に接続される接続部と、を備え、
コネクタをコネクタ取付孔から外方へ抜き取った際には、接続部が内部基板に対し離脱してコネクタと共にケーシングから取り出される一方、コネクタをコネクタ取付孔に挿着した際には、接続部が内部基板に電気的に接続されるように構成されたことを特徴とする実装機。
【請求項９】
前記部品供給装置および前記供給装置装着部のうち少なくともいずれか一方とは、部品供給装置としてのテープフィーダであり、
前記ケーシングの内部に設けられた内部基板に突出片が形成され、
前記コネクタの接続部によって構成される挿入部が、前記ケーシングに設けられた前記コネクタ取付孔から挿入され、前記突出片に直接接続される請求項８に記載の実装機。
【請求項１０】
前記部品供給装置および前記供給装置装着部のうち少なくともいずれか一方とは、供給装置装着部としてのフィーダ交換台車であり、
前記ケーシングの内部に設けられた内部基板に内部コネクタが設けられ、
前記コネクタの接続部によって構成される挿入部が、前記ケーシングに設けられた前記コネクタ取付孔から挿入され、前記内部コネクタに直接接続される請求項８に記載の実装機。
【手続補正２】
【補正対象書類名】明細書
【補正対象項目名】００１２
【補正方法】変更
【補正の内容】
【００１２】
［３］  内部基板に電気的に接続され、かつ接続部と結合可能な結合部材がケーシングの内部に設けられ、
コネクタをコネクタ取付孔に取り付けた状態では、コネクタの接続部が結合部材に結合されて、接続部が結合部材を介して内部基板に電気的に接続される前項１に記載のコネクタ付装置。
［４］  前記部品供給装置および前記供給装置装着部のうち少なくともいずれか一方とは、部品供給装置としてのテープフィーダであり、
前記ケーシングの内部に設けられた内部基板に突出片が形成され、
前記コネクタの接続部によって構成される挿入部が、前記ケーシングに設けられた前記コネクタ取付孔から挿入され、前記突出片に直接接続される前項１に記載のコネクタ付装置。
［５］  前記部品供給装置および前記供給装置装着部のうち少なくともいずれか一方とは、供給装置装着部としてのフィーダ交換台車であり、
前記ケーシングの内部に設けられた内部基板に内部コネクタが設けられ、
前記コネクタの接続部によって構成される挿入部が、前記ケーシングに設けられた前記コネクタ取付孔から挿入され、前記内部コネクタに直接接続される前項１に記載のコネクタ付装置。
【手続補正３】
【補正対象書類名】明細書
【補正対象項目名】００１３
【補正方法】変更
【補正の内容】
【００１３】
［６］  供給装置装着部に着脱自在に装着されて、実装機に部品を供給する部品供給装置であって、
コネクタ取付孔を有するケーシングと、
ケーシングの内部に設けられる内部基板と、
コネクタ取付孔に着脱自在に取り付けられ、かつ内部基板を供給装置装着部に対して電気接続するためのコネクタと、
コネクタのケーシング内部側に設けられ、かつ内部基板に電気的に接続される接続部と、を備え、
コネクタをコネクタ取付孔から外方へ抜き取った際に、接続部が内部基板に対し離脱してコネクタと共にケーシングから取り出される一方、コネクタをコネクタ取付孔に挿着した際には、接続部が内部基板に電気的に接続されるように構成されたことを特徴とする部品供給装置。
［７］  テープフィーダによって構成される前項６に記載の部品供給装置であって、
前記ケーシングの内部に設けられた内部基板に突出片が形成され、
前記コネクタの接続部によって構成される挿入部が、前記ケーシングに設けられた前記コネクタ取付孔から挿入され、前記突出片に直接接続される部品供給装置。
【手続補正４】
【補正対象書類名】明細書
【補正対象項目名】００１４
【補正方法】変更
【補正の内容】
【００１４】
［８］  供給装置装着部に着脱自在に装着される部品供給装置と、部品供給装置から供給される部品を基板に実装するヘッドと、を備えた実装機であって、
部品供給装置および供給装置装着部のうち少なくともいずれか一方は、
コネクタ取付孔を有するケーシングと、
ケーシングの内部に設けられる内部基板と、
コネクタ取付孔に着脱自在に取り付けられ、かつ内部基板を供給装置装着部に対して電気接続するためのコネクタと、
コネクタのケーシング内部側に設けられ、かつ内部基板に電気的に接続される接続部と、を備え、
コネクタをコネクタ取付孔から外方へ抜き取った際には、接続部が内部基板に対し離脱してコネクタと共にケーシングから取り出される一方、コネクタをコネクタ取付孔に挿着した際には、接続部が内部基板に電気的に接続されるように構成されたことを特徴とする実装機。
［９］  前記部品供給装置および前記供給装置装着部のうち少なくともいずれか一方とは、部品供給装置としてのテープフィーダであり、
前記ケーシングの内部に設けられた内部基板に突出片が形成され、
前記コネクタの接続部によって構成される挿入部が、前記ケーシングに設けられた前記コネクタ取付孔から挿入され、前記突出片に直接接続される前項８に記載の実装機。
［１０］  前記部品供給装置および前記供給装置装着部のうち少なくともいずれか一方とは、供給装置装着部としてのフィーダ交換台車であり、
前記ケーシングの内部に設けられた内部基板に内部コネクタが設けられ、
前記コネクタの接続部によって構成される挿入部が、前記ケーシングに設けられた前記コネクタ取付孔から挿入され、前記内部コネクタに直接接続される前項８に記載の実装機。
【手続補正５】
【補正対象書類名】明細書
【補正対象項目名】００１７
【補正方法】変更
【補正の内容】
【００１７】
上記発明［３］〜［５］にかかるコネクタ付装置によると、上記の効果をより確実に得ることができる。
【手続補正６】
【補正対象書類名】明細書
【補正対象項目名】００１８
【補正方法】変更
【補正の内容】
【００１８】
上記発明［６］［７］にかかる部品供給装置によると、上記と同様に、コネクタを簡単に交換することができる。
【手続補正７】
【補正対象書類名】明細書
【補正対象項目名】００１９
【補正方法】変更
【補正の内容】
【００１９】
上記発明［８］〜［１０］にかかる実装機によると、上記と同様に、コネクタを簡単に交換することができる。
【手続補正８】
【補正対象書類名】明細書
【補正対象項目名】００５２
【補正方法】変更
【補正の内容】
【００５２】
さらに内部基板５５には、各コネクタ取付孔５２に対応して、結合部材としての内部コネクタ５３がそれぞれ設けられている。各内部コネクタ５３には、コネクタ取付孔５２に対応して、複数の接続ピン５４が設けられている。